(57)【要約】【課題】アクティブセンサによる検知結果に基づいて照明器具を点灯制御する照明制御システムにおいて、アクティブセンサによる消費電力量を抑えて、省エネルギー化を図る。【解決手段】照明制御システム１は、移動体を検知するアクティブセンサ２と、アクティブセンサ２による検知結果に基づいて点灯する照明器具３と、扉の開閉又は空間の明るさを基に、アクティブセンサ２の起動タイミングを検知する起動検知部４と、アクティブセンサ２の動作を停止させる停止タイミングを検知する停止検知部３１を備える。アクティブセンサ２は、上記起動タイミングから停止タイミングの期間は動作し、他の期間は動作を停止する。このため、必要なときだけアクティブセンサ２を動作させることができ、従って、アクティブセンサ２による消費電力量を抑えることができる。【選択図】図１
2010033837.tif 000002
【特許請求の範囲】
【請求項１】
移動体を検知するアクティブセンサと、前記アクティブセンサによる検知結果に基づいて点灯する照明器具と、を備えた照明制御システムにおいて、
物理量変化を基に、前記アクティブセンサを起動させる起動タイミングを検知する起動検知部と、
前記アクティブセンサの動作を停止させる停止タイミングを検知する停止検知部と、を備え、
前記アクティブセンサは、前記起動検知部により検知された起動タイミングから、前記停止検知部により検知された停止タイミングまでの期間は動作し、他の期間は動作を停止することを特徴とする照明制御システム。
【請求項２】
前記起動検知部は、該システムが設置された空間の出入り口に設けられた扉の開閉を検知する扉開閉センサを有することを特徴とする請求項１に記載の照明制御システム。
【請求項３】
前記起動検知部は、該システムが設置された空間の明るさを検知する明るさセンサをさらに有することを特徴とする請求項２に記載の照明制御システム。
【請求項４】
前記停止検知部は、タイマを有し、予め定められた保持時間の経過をもって停止タイミングとすることを特徴とする請求項１乃至請求項３のいずれか一項に記載の照明制御システム。
【請求項５】
前記起動検知部は、該システムが設置された空間の明るさを検知する明るさセンサを有し、
前記停止検知部は、タイマを有し、予め定められた保持時間を前記タイマによりカウントし、その保持時間の経過をもって停止タイミングとし、前記明るさセンサによる検知結果に基づいて該保持時間のカウントをリセットすることを特徴とする請求項１又は請求項２に記載の照明制御システム。
【発明の詳細な説明】
【技術分野】
【０００１】
本発明は、人等の移動体を検知するアクティブセンサによる検知結果に基づいて照明器具を点灯制御する照明制御システムに関する。
【背景技術】
【０００２】
従来から、人感センサにより人を検知し、その検知結果に基づいて照明器具を点灯制御する照明制御システムが知られている（例えば、特許文献１参照）。このようなシステムにおいては、一般に、人感センサとしてパッシブセンサが使用される。パッシブセンサは、人体から放出される赤外線を検知して人間を検知する。ところが、その赤外線は微弱であるので、パッシブセンサと人とが離れていると、検知漏れが生じる虞がある。
【０００３】
そこで、人感センサとして、検知精度の高いアクティブセンサを用いたいとの要請がある。アクティブセンサによる検知対象物は人に限定されず、アクティブセンサは、電磁波を送波して、検知対象物によるその反射波を受波し、その受波強度に応じて検知対象物を検知する。従って、送波強度を強めれば、それに伴って受波強度が強まるので、パッシブセンサの場合のような検知漏れを抑制できる。
【０００４】
しかしながら、アクティブセンサの場合、検知対象物を検知するために電磁波を出射し続ける必要がある。このため、パッシブセンサと比べ、検知精度は高いが、消費電力量が多くなる。
【特許文献１】特開２００２−２８９３７０号公報
【発明の開示】
【発明が解決しようとする課題】
【０００５】
本発明は、上記の従来の問題を解決するためになされたものであり、アクティブセンサによる検知結果に基づいて照明器具を点灯制御するに際して、そのアクティブセンサによる消費電力量を抑えて、省エネルギー化を図ることができる照明制御システムを提供することを目的とする。
【課題を解決するための手段】
【０００６】
上記目的を達成するために請求項１の発明は、移動体を検知するアクティブセンサと、前記アクティブセンサによる検知結果に基づいて点灯する照明器具と、を備えた照明制御システムにおいて、物理量変化を基に、前記アクティブセンサを起動させる起動タイミングを検知する起動検知部と、前記アクティブセンサの動作を停止させる停止タイミングを検知する停止検知部と、を備え、前記アクティブセンサは、前記起動検知部により検知された起動タイミングから、前記停止検知部により検知された停止タイミングまでの期間は動作し、他の期間は動作を停止するものである。
【０００７】
請求項２の発明は、請求項１に記載の照明制御システムにおいて、前記起動検知部は、該システムが設置された空間の出入り口に設けられた扉の開閉を検知する扉開閉センサを有するものである。
【０００８】
請求項３の発明は、請求項２に記載の照明制御システムにおいて、前記起動検知部は、該システムが設置された空間の明るさを検知する明るさセンサをさらに有するものである。
【０００９】
請求項４の発明は、請求項１乃至請求項３のいずれか一項に記載の照明制御システムにおいて、前記停止検知部は、タイマを有し、予め定められた保持時間の経過をもって停止タイミングとするものである。
【００１０】
請求項５の発明は、請求項１又は請求項２に記載の照明制御システムにおいて、前記起動検知部は、該システムが設置された空間の明るさを検知する明るさセンサを有し、前記停止検知部は、タイマを有し、予め定められた保持時間を前記タイマによりカウントし、その保持時間の経過をもって停止タイミングとし、前記明るさセンサによる検知結果に基づいて該保持時間のカウントをリセットするものである。
【発明の効果】
【００１１】
請求項１の発明によれば、アクティブセンサによる検知結果に基づいて照明器具を点灯制御するに際して、必要なときだけアクティブセンサを動作させることができるので、アクティブセンサによる消費電力量を抑えて省エネルギー化を図ることができる。
【００１２】
請求項２の発明によれば、システムが設置された空間の出入り口の扉開閉を検知してアクティブセンサを起動させることができるので、移動体が空間内に入るのを予測してアクティブセンサを動作させることができる。
【００１３】
請求項３の発明によれば、システムが設置された空間の明るさを検知するので、他の照明器具等の点灯を検知し、それを基に、移動体が空間内に入るのを予測してアクティブセンサを動作させることができる。
【００１４】
請求項４の発明によれば、予め定められた保持時間の経過をもってアクティブセンサの停止タイミングとされるので、簡単かつ一律にアクティブセンサの動作時間を制御することができる。
【００１５】
請求項５の発明によれば、明るさセンサにより明るさを検知したときに、アクティブセンサを起動させる所定の保持時間のカウントをリセットできるので、照明器具点灯中のアクティブセンサの動作停止を防ぐことができる。
【発明を実施するための最良の形態】
【００１６】
以下、本発明の一実施形態に係る照明制御システムについて図１〜図５を参照して説明する。図１は、本実施形態に係る照明制御システムの構成を示す。この照明制御システム１は、移動体を検知するアクティブセンサ２（以下、センサ２という）と、センサ２が夫々取り付けられ、そのセンサ２による検知結果に基づいて点灯する複数台の照明器具３Ａ、３Ｂ、３Ｃ（以下、総称して照明器具３という）と、物理量変化を基に、センサ２を起動させる起動タイミングを検知する起動検知部４と、を備える。上記移動体には、人又は車が含まれる。照明器具３は、センサ２の動作を停止させる停止タイミングを検知する停止検知部を有しており、照明制御システム１が設置される建物内の空間の天井等に固定され、互いに通信して連動できるように信号線５で接続されている。起動検知部４は、建物の出入り口Ｇ１に設けられた扉の開閉を物理量変化として検知する扉開閉センサ４１と、各照明器具３に取り付けられ、上記空間の明るさ変化を物理量変化として検知する明るさセンサ４２と、を含む。同図では、照明器具３が３台、図示されているが、台数はこれに限定されない。
【００１７】
センサ２は、上記起動タイミングから停止タイミングまでの期間は動作し、他の期間は動作を停止する。センサ２は、例えば、移動体を検知するドップラーセンサ等の移動体検知センサで構成することができる。ドップラーセンサは、所定の周波数の電波、赤外線又はマイクロ波等の電磁波を送信し、反射波のドップラー効果を利用して、移動体を検知し、その検知信号を出力するものである。センサ２の構成は上記に限定されず、センサ２は静止体を検知可能に構成されていてもよい。
【００１８】
図２は、照明器具３Ａ〜３Ｃのうち、例として照明器具３Ｂの構成を示し、さらに起動検知部４の構成を示す。照明器具３Ａ、３Ｃは照明器具３Ｂと同じ構成を有している。照明器具３Ｂは、上述の停止検知部３１と、光源３２と、光源３２を点灯させてその光出力を調整する点灯回路３３と、センサ２の電源をオン／オフするスイッチング回路３４と、起動検知部４及び他の照明器具３と通信可能な通信回路３５と、停止検知部３１及び上記各回路の動作を制御するマイクロプロセッサ等で構成される制御部３６と、を備える。
【００１９】
停止検知部３１は、タイマ３１ａとマイクロプロセッサ３１ｂとで構成される。マイクロプロセッサ３１ｂは、予め定められたセンサ起動時間（保持時間）をタイマ３１ａによりカウントし、そのセンサ起動時間の経過をもってセンサ２の停止タイミングとする。また、マイクロプロセッサ３１ｂは、センサ起動時間のカウント中に明るさセンサ４２により明るさが検知されたときには、そのカウントをリセットする。マイクロプロセッサ３１ｂは、制御部３６のマイクロプロセッサで構成されていてもよい。
【００２０】
制御部３６は、扉開閉センサ４１又は明るさセンサ４２からの検知信号を受信し、その受信時をセンサ２の起動タイミングと認識して、センサ２を起動させる。制御部３６は、扉開閉センサ４１からの検知信号を受信した場合には、センサ起動時間のカウント開始を指示する指示信号を停止検知部３１に直ちに送出する。制御部３６は、明るさセンサ４１からの検知信号を受信した場合、その受信後に、所定の期間、明るさセンサ４２からの次の検知信号を受信しなかったときに、上記指示信号を停止検知部３１に送出する。制御部３６は、停止検知部３１によるセンサ起動時間のカウント中に、明るさセンサ４２からの検知信号を受信した場合、停止検知部３１へカウントのリセットを指示する。
【００２１】
また、制御部３６は、タイマを有しており、センサ２の起動中にセンサ２が移動体を検知したとき、光源３２を点灯させ、その後、移動体を検知できなくなったときから、所定の点灯保持時間をタイマにより計時し始める。点灯保持時間のカウント中に、センサ２からの検知信号を再び受信した場合、制御部３６は、点灯保持時間のカウントをリセットする。制御部３６は、点灯保持時間の経過をもって光源３２を消灯させる。また、制御部３６は、停止検知部３１から送信されセンサ２の停止タイミングを示す信号を受信したとき、センサ２の動作を停止させる。
【００２２】
起動検知部４は、扉開閉センサ４１と、明るさセンサ４２と、扉開閉センサ４１による扉開閉検知時にその検知信号を照明器具３の通信回路３５へ無線送信する送信回路４３とを有する。明るさセンサ４２は、明るさが所定の閾値以上となったときにそれを検知し、その検知信号を照明器具３の通信回路３５へ送出する。起動検知部４による検知信号はセンサ２の起動タイミングを示す。
【００２３】
次に、上記のように構成された照明制御システム１の動作例について、上記図１及び図２に加え、図３を参照して説明する。ここでは、照明器具３Ａ〜３Ｃのうち、照明器具３Ｂに着目して説明する。
【００２４】
図３は、照明制御システム１の各部のタイムチャートを示す。人が建物の出入り口Ｇ１の扉を開閉すると、（１）起動検知部４の扉開閉センサ４１がそれを検知する。（２）この検知を受けてセンサ２が起動し、（３）停止検知部３１がセンサ起動時間のカウントを開始する。
【００２５】
（４）センサ２が起動中に移動体を検知すると、（５）その検知を基に光源３２が点灯する。センサ２により移動体が検知されている期間、光源３２は点灯し続け、（６）センサ２が移動体を検知しなくなると、（７）制御部３６は所定の点灯保持時間をカウントし始める。（８）そのカウント中に、センサ２が移動体を再び検知した場合、（９）点灯保持時間のカウントはリセットされる。
【００２６】
光源３２が点灯している間、（１０）起動検知部４の明るさセンサ４２は、その光源３２による明るさを検知し続ける。（１１）光源３２の点灯保持時間が経過すると、（１２）光源３２は消灯し、（１３）明るさセンサ４２はその光源３２による明るさを検知できなくなる。（１４）停止検知部３１は、明るさセンサ４２による非検知に基づき、センサ起動時間のカウントを開始する。（１５）このカウント中にセンサ２が移動体を検知した場合、（１６）光源３２は再び点灯し、（１７）明るさセンサ４２は明るさを検知する。その後、（１８）センサ２が移動体を検知できなくなったとき、（１９）制御部３６は点灯保持時間をカウントし始める。
【００２７】
（２０）点灯保持時間の経過後、（２１）停止検知部３１は、センサ起動時間のカウントを再び開始する。（２２）センサ起動時間が経過すると、（２３）センサ２は動作を停止する。
【００２８】
センサ２の動作停止後に、（２４）明るさセンサ４２が、自器ではなく他の照明器具３等からの光による明るさを検知した場合、（２５）センサ２はそれを受けて起動する。その後、（２６）明るさセンサ４２が明るさを検知できなくなると、（２７）停止検知部３１はセンサ起動時間のカウントを開始する。（２８）センサ起動時間の経過後、（２９）センサ２は動作を停止する。
【００２９】
次に、照明器具３Ａ、３Ｃを含めた照明制御システム１全体の動作について図４及び図５を参照して説明する。図４（ａ）〜（ｄ）は、照明制御システム１が設置された建物内に、人を乗せた車Ｃ１が出入り口Ｇ１から入ったときの動作チャートを示す。図５（ａ）〜（ｃ）は、センサ２が上述の車Ｃ１を検知して照明器具３が点灯した後に、センサ２により検知対象物を検知しなくなったときの動作チャートを示す。図４及び図５においては、上記図１に図示した建物、及び照明器具３の支持部材の図示は省略する。
【００３０】
ここで、照明器具３Ａ、３Ｂ、３Ｃは、出入り口Ｇ１に近い方から順に配置されているとする。照明器具３Ａは、扉開閉センサ４１からの検知信号を無線受信可能な範囲内に設置され、照明器具３Ｂ、３Ｃはその範囲外に設定されているとする。また、照明器具３Ａ〜３Ｃの各々の間の距離は、明るさセンサ４２が、自器以外の照明器具３の点灯による明るさを検知できない程度とする。また、車Ｃ１が建物内に入る前には、センサ２は動作を停止し、照明器具３Ａ〜３Ｃは消灯しているとする。
【００３１】
図４（ａ）に示されるように、車Ｃ１に乗った人が出入り口Ｇ１の扉を開けたとき、（１）扉開閉センサ４１は扉の開閉を検知する。（２）照明器具３Ａは、扉開閉センサ４１からの検知信号を受信し、センサ２を起動させる。同図においては、センサ２による検知範囲を破線で示す。
【００３２】
図４（ｂ）に示されるように、（３）車Ｃ１が照明器具３Ａ付近を移動すると、照明器具３Ａのセンサ２はその車Ｃ１を検知し、（４）照明器具３Ａは点灯する。また、照明器具３Ａは、信号線５を介して照明器具３Ｂ、３Ｃへ点灯指示信号を送信する。照明器具３Ａは、センサ２が車Ｃ１を検知しなくなってから、点灯保持時間のカウントを開始する。（５）照明器具３Ｂ、３Ｃは、上記点灯指示信号を受信して点灯し、点灯保持時間のカウントを開始する。（６）また、照明器具３Ｂ、３Ｃの各々においては、明るさセンサ４２が自器の点灯による明るさを検知し、（７）その明るさ検知に基づいてセンサ２が起動する。
【００３３】
図４（ｃ）に示されるように、車Ｃ１が照明器具３Ｂ付近へ移動すると、（８）照明器具３Ｂのセンサ２は、移動する車Ｃ１を検知し、（９）照明器具３Ｂは、点灯保持時間のカウントをリセットし、非検知となったときに再カウントを開始する。
【００３４】
図４（ｄ）に示されるように、車Ｃ１が照明器具３Ｂ付近を通り過ぎて照明器具３Ｃへ移動すると、（１０）照明器具３Ｃのセンサ２が、移動する車Ｃ１を検知し、（１１）照明器具３Ｃは、点灯保持時間のカウントをリセットし、非検知となったときに再カウントを開始する。
【００３５】
その後、図５（ａ）に示されるように、照明器具３Ａ〜３Ｃの各々のセンサ２により検知対象物を検知できない場合、図５（ｂ）に示されるように、（１２）まず照明器具３Ａが点灯保持時間経過後に消灯する。これは、上記図４（ｂ）に示されるように、照明器具３Ａ〜３Ｃが略一斉に点灯して点灯保持時間をカウントし始めたが、上記図４（ｃ）（ｄ）に示されるように、照明器具３Ｂ、３Ｃは途中でカウントをリセットしたからである。照明器具３Ａの消灯後、照明器具３Ｂ、３Ｃは点灯保持時間を再カウントし始めた順に従い、（１３）まず照明器具３Ｂが消灯し、（１４）そして照明器具３Ｃが消灯する。
【００３６】
照明器具３Ａ〜３Ｃが消灯すると、図５（ｃ）に示されるように、それらに取り付けられた明るさセンサ４２は明るさを検知しなくなる。これに応じて、照明器具３Ａ〜３Ｃの夫々は、センサ起動時間をカウントし始め、上述の消灯順と同じく、（１５）まず、照明器具３Ａに付いたセンサ２の動作が停止し、（１６）次に、照明器具３Ｂに付いたセンサ２の動作が停止し、（１７）最後に、照明器具３Ｃに付いたセンサ２の動作が停止する。
【００３７】
上述のようにして、本実施形態においては、センサ２による検知結果に基づいて照明器具１を点灯制御するにあたり、必要なときだけセンサ２を動作させることができるので、センサ２による消費電力量を抑えて省エネルギー化を図ることができる。
【００３８】
また、照明制御システム１が設置された空間の出入り口Ｇ１の扉開閉を検知して、センサ２を起動させることができるので、移動体が空間内に入るのを予測してセンサ２を前もって動作させることができる。従って、センサ２による検知漏れを防止して、照明器具１を確実に点灯させることができる。
【００３９】
また、タイマ３１ａにより、所定のセンサ２の起動時間がカウントされ、その時間の経過をもってセンサ２の停止タイミングとされるので、簡単かつ一律にセンサ２の動作時間を制御することができる。
【００４０】
また、明るさセンサ４２により明るさを検知したときに、所定のセンサ２の起動時間のカウントがリセットされるので、照明器具３点灯中のセンサ２の動作停止を防ぐことができる。従って、照明器具３の点灯中にセンサ２の検知対象物がその検知領域内に居る状況で、検知漏れが生じることを防止できる。このため、上記の状況で、検知結果に基づいて点灯保持時間のカウントをリセットし、点灯保持時間の経過による照明器具３の消灯を防止することができる。
【００４１】
次に、本実施形態の照明制御システムの変形例について図６〜図８を参照して説明する。本変形例の構成要素は、上記実施形態と略同じなので、上記図２を流用して説明する。図６は、本変形例に係る照明制御システムを示す。本変形例の照明器具３は、上記実施形態と異なり、他の照明器具３と信号線５で繋がっておらず、その通信回路３５は、他の照明器具３と無線通信可能な無線通信回路で構成される。
【００４２】
図７（ａ）〜（ｃ）及び図８（ａ）（ｂ）は、本変形例に係る照明制御システム１が設置された建物内に、人を乗せた車Ｃ１が出入り口Ｇ１から入ったときの一連の動作チャートを示す。ここで、照明器具３Ａは、扉開閉センサ４１からの検知信号を無線受信可能な範囲内に設置され、照明器具３Ｂ、３Ｃはその範囲外に設定されているとする。また、照明器具３Ａ〜３Ｃの各々の間の距離は、明るさセンサ４２が、他の照明器具３の点灯による明るさを検知できる程度の距離とする。また、車Ｃ１が建物内に入る前には、センサ２は動作を停止し、照明器具３Ａ〜３Ｃは消灯しているとする。
【００４３】
図７（ａ）に示されるように、車Ｃ１に乗った人が出入り口Ｇ１の扉を開けたとき、（１）扉開閉センサ４１は扉の開閉を検知する。（２）照明器具３Ａは、扉開閉センサ４１からの検知信号を受信し、センサ２の電源をオンとし、センサ２を起動させる。同図において、センサ２による検知範囲を破線で示す。
【００４４】
図７（ｂ）に示されるように、（３）車Ｃ１が照明器具３Ａ付近を移動すると、照明器具３Ａのセンサ２はその車Ｃ１を検知し、（４）照明器具３Ａは点灯し、そして、センサ２が車Ｃ１を検知しなくなったときから点灯保持時間のカウントを開始する。照明器具３Ａの点灯により照明器具３Ｂ付近の明るさが明るくなる。（５）照明器具３Ｂに取り付けられた明るさセンサ４２は、照明器具３Ａの点灯による光を検知する。（６）照明器具３Ｂは、その明るさセンサ４２による検知に基づき、自器のセンサ２を起動させる。
【００４５】
図７（ｃ）に示されるように、車Ｃ１が照明器具３Ｂ付近を移動すると、（７）照明器具３Ｂに付いたセンサ２がその車Ｃ１を検知し、（８）その検知をトリガとして照明器具３Ｂが点灯する。そして、照明器具３Ｂは、センサ２が車Ｃ１を検知しなくなったときから、点灯保持時間のカウントを開始する。照明器具３Ｂの点灯により照明器具３Ｃ付近の明るさが明るくなる。（９）照明器具３Ｃに取り付けられた明るさセンサ４２は、照明器具３Ｂの点灯による光を検知する。（１０）照明器具３Ｃは、この明るさ検知に基づき、自器のセンサ２を起動させる。
【００４６】
その後、図８（ａ）に示されるように、車Ｃ１が照明器具３Ｃ付近を移動すると、（１１）照明器具３Ｃに付いたセンサ２がその車Ｃ１を検知し、（１２）その検知をトリガとして照明器具３Ｃが点灯する。そして、照明器具３Ｃは、センサ２が車Ｃ１を検知しなくなったときから、点灯保持時間のカウントを開始する。そして、（１３）初めに点灯して点灯保持時間が経過した照明器具３Ａが消灯する。照明器具３Ａが消灯すると、それ取り付けられた明るさセンサ４２は明るさを検知しなくなる。これに応じて、照明器具３Ａは、センサ起動時間をカウントし始める。
【００４７】
そして、図８（ｂ）に示されるように、（１４）点灯保持時間が経過した照明器具３Ｂが消灯する。（１５）照明器具３Ａは、上述のセンサ起動時間が経過すると、センサ２の動作を停止させる。その後、不図示であるが、上記照明器具３Ａ、３Ｂの動作と同様に、照明器具３Ｃは消灯し、照明器具３Ｂ、３Ｃは自器のセンサ２の動作を停止させる。
【００４８】
本変形例において、明るさセンサ４２は、隣接する他の照明器具３の点灯を検知するので、それを基に、移動体が自器付近へ移動するのを予測して自器のセンサ２を前もって起動させることができる。従って、センサ２による検知漏れを防止し、照明器具３を確実に点灯させることができる。
【００４９】
また、明るさセンサ４２は、照明制御システム１が設置された空間の明るさを検知するので、空間外の他の照明器具等の点灯を検知し、それを基に、移動体が空間内に入るのを予測してセンサ２を動作させることができる。
【００５０】
なお、本発明は、上記の実施形態の構成に限定されるものでなく、使用目的に応じ、様々な変形が可能である。例えば、照明器具３の台数は複数ではなく、１台であってもよい。また、起動検知部４は、扉開閉センサ４１及び送信回路４３、又は明るさセンサ４２のいずれか一方だけにより構成されていても構わない。
【図面の簡単な説明】
【００５１】
【図１】本発明の一実施形態に係る照明制御システムの構成図。
【図２】上記照明制御システムの電気的ブロック図。
【図３】上記照明制御システムにおけるタイムチャート。
【図４】（ａ）〜（ｄ）は上記照明制御システムの動作チャート。
【図５】（ａ）〜（ｃ）は上記図４の動作に続く照明制御システムの動作チャート。
【図６】上記実施形態の変形例に係る照明制御システムの構成図。
【図７】（ａ）〜（ｃ）は上記照明制御システムの動作チャート。
【図８】（ａ）（ｂ）は上記図７の動作に続く照明制御システムの動作チャート。
【符号の説明】
【００５２】
１  照明制御システム
２  センサ（アクティブセンサ）
３、３Ａ、３Ｂ、３Ｃ  照明器具
３１  停止検知部
３１ａ  タイマ
４  起動検知部
４１  扉開閉センサ
４２  明るさセンサ
Ｇ１  出入り口
【図１】
2010033837.tif 000003
【図２】
2010033837.tif 000004
【図３】
2010033837.tif 000005
【図４】
2010033837.tif 000006
【図５】
2010033837.tif 000007
【図６】
2010033837.tif 000008
【図７】
2010033837.tif 000009
【図８】
2010033837.tif 000010